(57)【要約】【課題】複数のグループ化された処理対象の一つを選択した場合に、組み替え対象となり得る個別の処理対象を含む他のグループ処理対象を提示することが可能な管理装置を提供すること。【解決手段】管理装置２００は、予め定められた条件により複数の処理対象がグループ化されている場合に、前記条件と当該条件に従ってグループ化されたグループ処理対象とを関連付けて記憶する記憶手段２０３と、前記記憶手段により記憶されている複数のグループ処理対象の中から一つのグループ処理対象が選択された場合に、当該グループ処理対象と前記条件の一部が共通する他のグループ処理対象を検索する検索手段２１３と、前記検索手段により検索された結果を表示するように制御する表示制御手段２１４と、を備える。【選択図】図４
2020140491.tif 000002
【特許請求の範囲】
【請求項１】
予め定められた条件により複数の処理対象がグループ化されている場合に、前記条件と当該条件に従ってグループ化されたグループ処理対象とを関連付けて記憶する記憶手段と、
前記記憶手段により記憶されている複数のグループ処理対象の中から一つのグループ処理対象が選択された場合に、当該グループ処理対象と前記条件の少なくとも一部が共通する他のグループ処理対象を表示するように制御する表示制御手段と、を備えた管理装置。
【請求項２】
前記表示制御手段は、前記選択されたグループ処理対象の前記条件を表示し、
さらに、前記表示された前記条件が変更された場合に、変更後の条件によってグループ化されたグループ処理対象を表示するように制御する、請求項１記載の管理装置。
【請求項３】
前記表示制御手段は、前記選択されたグループ処理対象の前記条件を表示し、
さらに、前記表示された前記条件に対して条件が追加、あるいは削除された場合に、追加後の、あるいは削除後の条件によってグループ化されたグループ処理対象を表示するように制御する、請求項１記載の管理装置。
【請求項４】
変更後の条件、または、追加後、もしくは、削除後のグループ処理対象の中から一つが選択された場合に、前記表示制御手段は、前記選択された２つのグループ処理対象をそれぞれ構成する複数の個別の処理対象を対照して表示させ、個別の処理対象の移動指示を受け付ける状態とする、請求項２または３記載の管理装置。
【請求項５】
複数の個別の処理対象の中から、予め指定された条件に該当する処理対象をグループ化してグループ処理対象を構成するグループ化手段を備える、請求項１から４のいずれかに記載の管理装置。
【請求項６】
前記個別の処理対象が個別の印刷処理単位である、請求項１から５のいずれかに記載の管理装置。
【請求項７】
予め定められた条件により複数の処理対象がグループ化されている場合に、前記条件と当該条件に従ってグループ化されたグループ処理対象とを関連付けて記憶する記憶手段と、
前記記憶手段により記憶されている複数のグループ処理対象の中から一つのグループ処理対象が選択された場合に、当該グループ処理対象と前記条件の少なくとも一部が共通する他のグループ処理対象を表示するように制御する表示制御手段と、を備えた管理システム。
【請求項８】
管理サーバを構成するコンピュータに、
予め定められた条件により複数の処理対象がグループ化されている場合に、前記条件と当該条件に従ってグループ化されたグループ処理対象とを関連付けて記憶するステップと、
前記記憶手段により記憶されている複数のグループ処理対象の中から一つのグループ処理対象が選択された場合に、当該グループ処理対象と前記条件の少なくとも一部が共通する他のグループ処理対象を表示するように制御するステップと、を実行させるプログラム。
【発明の詳細な説明】
【技術分野】
【０００１】
本発明は、工程管理装置、工程管理システム、およびプログラムに関する。
【背景技術】
【０００２】
下記特許文献１には、指定されたグルーピングの条件にしたがって、利用者による操作なしに一つまたは複数の印刷ジョブを一つにグルーピングすること、および一つにグルーピングされた複数の印刷ジョブを、プリンタに送信する複数の印刷ジョブの管理方法が開示されている。
【先行技術文献】
【特許文献】
【０００３】
【特許文献１】特許第５１０１１４７号公報
【発明の概要】
【発明が解決しようとする課題】
【０００４】
本発明の目的は、複数のグループ化された処理対象の一つを選択した場合に、組み替え対象となり得る個別の処理対象を含む他のグループ処理対象を提示することが可能な管理装置、管理システム、およびプログラムを提供することである。
【課題を解決するための手段】
【０００５】
請求項１に係る本発明は、
予め定められた条件により複数の処理対象がグループ化されている場合に、前記条件と当該条件に従ってグループ化されたグループ処理対象とを関連付けて記憶する記憶手段と、
前記記憶手段により記憶されている複数のグループ処理対象の中から一つのグループ処理対象が選択された場合に、当該グループ処理対象と前記条件の少なくとも一部が共通する他のグループ処理対象を表示するように制御する表示制御手段と、を備えた管理装置である。
【０００６】
請求項２に係る本発明は、前記表示制御手段は、前記選択されたグループ処理対象の前記条件を表示し、さらに、前記表示された前記条件が変更された場合に、変更後の条件によってグループ化されたグループ処理対象を表示するように制御する、請求項１記載の管理装置である。
【０００７】
請求項３に係る本発明は、前記表示制御手段は、前記選択されたグループ処理対象の前記条件を表示し、さらに、前記表示された前記条件に対して条件が追加、あるいは削除された場合に、追加後の、あるいは削除後の条件によってグループ化されたグループ処理対象を表示するように制御する、請求項１記載の管理装置である。
【０００８】
請求項４に係る本発明は、変更後の条件、または、追加後、もしくは、削除後のグループ処理対象の中から一つが選択された場合に、前記表示制御手段は、前記選択された２つのグループ処理対象をそれぞれ構成する複数の個別の処理対象を対照して表示させ、個別の処理対象の移動指示を受け付ける状態とする、請求項２または３記載の管理装置である。
【０００９】
請求項５に係る本発明は、複数の個別の処理対象の中から、予め指定された条件に該当する処理対象をグループ化してグループ処理対象を構成するグループ化手段を備える、請求項１から４のいずれかに記載の管理装置である。
【００１０】
請求項６に係る本発明は、前記個別の処理対象が個別の印刷処理単位である、請求項１から５のいずれかに記載の管理装置である。
【００１１】
請求項７に係る本発明は、
予め定められた条件により複数の処理対象がグループ化されている場合に、前記条件と当該条件に従ってグループ化されたグループ処理対象とを関連付けて記憶する記憶手段と、
前記記憶手段により記憶されている複数のグループ処理対象の中から一つのグループ処理対象が選択された場合に、当該グループ処理対象と前記条件の少なくとも一部が共通する他のグループ処理対象を表示するように制御する表示制御手段と、を備えた管理システムである。
【００１２】
請求項８に係る本発明は、
管理サーバを構成するコンピュータに、
予め定められた条件により複数の処理対象がグループ化されている場合に、前記条件と当該条件に従ってグループ化されたグループ処理対象とを関連付けて記憶するステップと、
前記記憶手段により記憶されている複数のグループ処理対象の中から一つのグループ処理対象が選択された場合に、当該グループ処理対象と前記条件の少なくとも一部が共通する他のグループ処理対象を表示するように制御するステップと、を実行させるプログラムである。
【発明の効果】
【００１３】
請求項１に係る本発明によれば、複数のグループ化された処理対象の一つを選択した場合に、組み替え対象となり得る個別の処理対象を含む他のグループ処理対象を表示することが可能な管理装置を提供できる。
【００１４】
請求項２に係る本発明によれば、組み替え対象となり得るグループ化された処理対象の検索範囲を、絞り込んだり、広げたりすることが可能となる。
【００１５】
請求項３に係る本発明によれば、組み替え対象となり得るグループ化された処理対象の検索範囲を、絞り込んだり、広げたりすることが可能となる。
【００１６】
請求項４に係る本発明によれば、選択された２つのグループ処理対象を構成する個別の処理対象の組み替え処理がダイアログ画面を使用しない場合に比較して容易に実行できるようになる。
【００１７】
請求項５に係る本発明によれば、複数の個別処理対象が、所定の共通する条件で纏められて一つの処理対象として扱うことができるようになる。
【００１８】
請求項６に係る本発明によれば、複数のグループ化された印刷処理対象の一つを選択した場合に、組み替え対象となり得る個別の処理対象を含む他のグループ化された印刷処理対象を表示することが可能となる。
【００１９】
請求項７に係る本発明によれば、複数のグループ化された処理対象の一つを選択した場合に、組み替え対象となり得る個別の処理対象を含む他のグループ処理対象を表示することが可能な管理システムを提供することができる。
【００２０】
請求項８に係る本発明によれば、管理サーバを構成するコンピュータに、複数のグループ化された処理対象の一つを選択した場合に、組み替え対象となり得る個別の処理対象を含む他のグループ処理対象を表示する処理を実行させることができる。
【図面の簡単な説明】
【００２１】
【図１】図１は、実施形態の印刷工程管理システム１０の一例を示す説明図である。
【図２】図２は、グループジョブの概念を説明する説明図である。
【図３】図３は、本実施形態における工程管理サーバ２００のハードウェア構成を示す図である。
【図４】図４は、図３の工程管理サーバ２００の機能ブロックを示す図である。
【図５】図５は、本実施形態における工程管理サーバ２００における処理の流れを示すフローチャートである。
【図６】図６は、印刷ジョブ受付部２１１が受信した複数の個別印刷ジョブを一覧表示した場合の受信個別印刷ジョブ一覧表示画面６００の一例である。
【図７】図７は、グループ化条件設定画面７００の一例を示す図である。
【図８】図８は、グループジョブ一覧表示画面８００の一例を示す図である。
【図９】図９（Ａ）は、検索結果表示画面９００の一例を示す図であり、図９（Ｂ）は、図９（Ａ）においてタブ追加ボタンが選択された際に表示される追加可能なグループ化条件の一覧を示す図である。
【図１０】図１０は、組み替えダイアログ１０００の一例を示す図である。
【図１１】図１１は、組み替え後の組み替えダイアログ１１００の一例を示す図である。
【発明を実施するための形態】
【００２２】
本発明の一実施形態における印刷工程管理システム１０について、図１を参照して説明する。図１は、実施形態の印刷工程管理システム１０の一例を示す説明図である。図１に示すように、印刷工程管理システム１０は、工程管理サーバ２００、印刷機３００、製本機４００、クライアントコンピュータ５００を備える。工程管理サーバ２００と印刷機３００および製本機４００とはそれぞれローカル・エリア・ネットワーク（以下、略してＬＡＮという）によって接続され、工程管理サーバ２００とクライアントコンピュータ５００は、ＬＡＮあるいはインターネットによって接続されている。図１では、印刷機３００、製本機４００、およびクライアントコンピュータ５００は、説明を簡単にするためにそれぞれ１台のみが図示されているが、複数台であってもよい。また、製本機４００は、印刷機を備えている。
【００２３】
本実施形態の印刷工程管理システム１０では、１台あるいは複数台のクライアントコンピュータ５００から送られてきた複数の個別印刷ジョブを、工程管理サーバ２００において、属性情報が一以上の同一条件に該当するものを一つのグループに纏めてグループ化を行い、グループジョブとして印刷機３００や製本機４００に出力し、グループ毎に印刷を実行させている。すなわち、本実施形態における「グループ化」とは、複数の個別印刷ジョブを、同一条件に該当するものを一つのグループに纏めて一つの印刷処理対象として扱えるようにすることである。また、本実施形態における「グループジョブ」とは、同一の条件を満たす属性情報を有する複数の個別印刷ジョブが一つのグループに纏められて、一つの印刷処理対象として扱えるようにされたものをいう。
【００２４】
図２は、グループジョブの概念を説明する説明図である。図２に示すように、複数の個別印刷ジョブ０１〜０５があるとする。これらの個別印刷ジョブは、実際の印字データや画像データの他に、各種の属性情報を含んでいる。属性情報とは、顧客情報、色数、部品情報、用紙種類、用紙サイズ、といった印刷処理を実行する際に必要となる、あるいは参照される付加的な情報のことである。例えば、グループ化を行う条件として「用紙種類」を設定したとする。個別印刷ジョブ０１、０２、０４は、「用紙種類」の属性情報が「上質紙Ａ」で同一であるため、グループジョブ０００１として一つに纏められる。一方、個別印刷ジョブ０３、０５は「用紙種類」の属性情報が「マット紙Ａ」で同一であるため、グループジョブ０００２として一つに纏められる。
【００２５】
このように同一の属性情報をもつ個別印刷ジョブを一つに纏めてグループジョブとしてグループ化し、グループジョブ毎に印刷機３００や製本機４００に出力した場合、個別印刷ジョブを、受け付けた順番で印刷機３００や製本機４００に出力して印刷処理する場合に比べ、用紙の切り替え処理や切り替え作業をする必要がないため、印刷処理の効率が向上する。
【００２６】
しかしながら、多数の個別印刷ジョブが複数のグループジョブに纏められている場合、顧客や管理者の要望、あるいは印刷機３００や製本機４００の都合で、あるグループジョブ内の個別印刷ジョブを別のグループジョブに移動する処理、いわゆる「組み替え」処理を行いたい場合が生じる。例えば、図２で説明したグループジョブ０００１内の個別印刷ジョブ０２をグループジョブ０００２に移動し、グループジョブ０００２内の個別印刷ジョブ０５をグループジョブ０００１に移動するような場合である。
【００２７】
この「組み替え」処理を、以下に説明する工程管理サーバ２００によって実行する。図３は、本実施形態における工程管理サーバ２００のハードウェア構成を示す図である。工程管理サーバ２００は、例えばデスクトップ型コンピュータであるが、本発明はこれに限定されず、他の形態のコンピュータであってもよいし、他の端末装置であってもよい。
【００２８】
図３に示すように、工程管理サーバ２００は、制御用マイクロプロセッサ２０１、メモリ２０２、記憶装置２０３、通信インタフェース２０４、ディスプレイ２０５、入力インタフェース２０６を有し、それぞれ制御用バス２０７に接続される。
【００２９】
制御用マイクロプロセッサ２０１は、記憶装置２０３に記憶された制御プログラムに基づいて、工程管理サーバ２００の各部の動作を制御する。
【００３０】
メモリ２０２には、管理者によって選択された組み替え処理の対象となるグループジョブのデータ、組み替え処理の対象となるグループジョブを検索するための条件などが一時的に記憶される。
【００３１】
記憶装置２０３は、ハードディスクやソリッド・ステート・ドライブによって構成され、工程管理サーバ２００の各部を制御するための制御プログラムが格納される。また、記憶装置２０３には、本実施形態における個別印刷ジョブやそれらをグループ化したグループジョブのデータ、およびそれぞれのグループジョブがグループ化された際の条件がグループジョブに関連付けられて記憶される。
【００３２】
通信インタフェース２０４は、この工程管理サーバ２００がＬＡＮやインターネットを介して印刷機３００、製本機４００、およびクライアントコンピュータ５００と通信を行うための通信制御を行う。
【００３３】
ディスプレイ２０５は、この工程管理サーバ２００と別体の液晶ディスプレイで構成され、後述する表示制御部によって処理される情報が表示される。あるいは、ディスプレイ２０５は、工程管理サーバ２００にＬＡＮやインターネットによって接続された他のコンピュータ、例えばクライアントコンピュータ５００のディスプレイであってもよい。
【００３４】
入力インタフェース２０６は、キーボードやマウスなどで構成され、工程管理サーバ２００を操作する管理者が後述する組み替え処理の指示を入力するための入力手段である。なお、ディスプレイ２０５と同様に、入力インタフェース２０６は、工程管理サーバ２００にＬＡＮやインターネットによって接続された他のコンピュータ、例えばクライアントコンピュータ５００のキーボードやマウスなどの入力インタフェースであってもよい。
【００３５】
次に、図４を参照して、本実施形態における工程管理サーバ２００の機能について説明する。図４は、図３の工程管理サーバ２００の機能ブロックを示す図である。図４に示すように、工程管理サーバ２００は、記憶装置２０３に記憶された制御プログラムを制御用マイクロプロセッサ２０１において実行することにより、印刷ジョブ受付部２１１、クループ化処理部２１２、検索部２１３、表示制御部２１４、印刷ジョブ組替部２１５、印刷指示部２１６の各機能を発揮する。
【００３６】
印刷ジョブ受付部２１１は、１台あるいは複数台のクライアントコンピュータ５００から送られてきた複数の個別印刷ジョブを順番に受け付け、受け付けた順に個別印刷ジョブＩＤを付与して記憶装置２０３に記憶する。
【００３７】
グループ化処理部２１２は、記憶装置２０３に記憶された複数の個別印刷ジョブの中から、予め指定された条件によりグループ化を行い、グループジョブを構成し、グループジョブＩＤを付与するとともにグループ化の際の条件と関連付けて記憶装置２０３に記憶する。具体的に、グループ化処理部２１２は、同一のグループジョブに属する個別印刷ジョブＩＤに一意のグループジョブＩＤを関連付けて記憶装置２０３に記憶する。
【００３８】
検索部２１３は、記憶装置２０３に記憶されている複数のグループジョブの中から組み替え対象として一つのグループジョブが管理者によって選択された場合に、当該グループジョブとグループ化された際の条件が一致する他のグループジョブを、記憶装置２０３から検索する。また、検索部２１３は、ディスプレイ２０５に表示された検索条件が変更された場合は、変更後の条件を含むグループジョブを記憶装置２０３から検索する。また、また検索部２１３は、ディスプレイ２０５に表示された検索条件に対して条件が追加あるいは削除された場合に追加後のあるいは削除後の条件を含むグループジョブを記憶装置２０３から検索する。また、検索部２１３は、グループ化された際の条件の一部が共通する他のグループジョブを検索するように構成してもよい。
【００３９】
表示制御部２１４は、記憶装置２０３に記憶されている複数のグループジョブの中から一つのグループジョブが組み替え対象として選択された場合に、検索部２１３によって検索された、当該選択されたグループジョブとグループ化の際の条件が一致する他のグループジョブの検索結果をディスプレイ２０５に表示する制御を行う。また、表示制御部２１４は、その際に、当該選択されたグループジョブのグループ化の際の条件をディスプレイ２０５に表示する。さらに、表示制御部２１４は、検索されたグループジョブの中から一つが選択された場合に、結果として選択された二つのグループジョブ、つまり、管理者によって最初に選択されたグループジョブと、検索結果の中から管理者によって選択されたグループジョブをそれぞれ構成する複数の個別印刷ジョブを対照してディスプレイ２０５に表示させ、個別印刷ジョブの移動指示を受け付ける状態とする。
【００４０】
印刷ジョブ組替部２１５は、組み替え対象として管理者により選択された２つのグループジョブの中から、管理者が個別印刷ジョブを選択してグループジョブ間で移動させた場合に、当該個別印刷ジョブの帰属先を変更させる。つまり、グループジョブが変更された個別印刷ジョブの個別印刷ジョブＩＤに関連付けられているグループジョブＩＤを新たな帰属先であるグループジョブのグループジョブＩＤに変更し、記憶装置２０３に記憶する。
【００４１】
印刷指示部２１６は、管理者の指示に基づいて、指定されたグループジョブの印刷処理を印刷機３００、製本機４００に実行させる。具体的には、印刷指示部２１６は指定されたグループジョブに属する個別印刷ジョブを順次印刷機３００あるいは製本機４００に送信し、印刷処理、製本処理を実行させる。
【００４２】
次に、図５〜図１１を参照し、本実施形態の工程管理サーバ２００におけるグループジョブの組み替え処理について説明する。なお、図５は、本実施形態における工程管理サーバ２００における処理の流れを示すフローチャートである。
【００４３】
図５のステップＳ５０１において、工程管理サーバ２００の印刷ジョブ受付部２１１は、クライアントコンピュータ５００から送信されてきた複数の個別印刷ジョブを順番に受信し、それぞれの個別印刷ジョブに対して受信した順に個別印刷ジョブＩＤを付与し記憶装置２０３に記憶する。図６は、印刷ジョブ受付部２１１が受信した複数の個別印刷ジョブを一覧表示した場合の受信個別印刷ジョブ一覧表示画面６００の一例である。図６に示すように、受信個別印刷ジョブ一覧表示画面６００は、個別印刷ジョブＩＤ欄６０１、製品名表示欄６０２、部数表示欄６０３、ページ数表示欄６０４、色数表示欄６０５、寸法表示欄６０６、用紙種類表示欄６０７、顧客ＩＤ表示欄６０８を含む。例えば、最上位の個別印刷ジョブ６１０は、最先に受信した個別印刷ジョブであるので、個別印刷ジョブＩＤとして「Ｉ９１０００１」が設定されており、製品名「×××倶楽部」、部数「１２０」、ページ数「２９０」、色数（表／裏）「４／０」、寸法「２１０×１４８」、用紙種類「上質紙Ａ」、顧客ＩＤ「４０８９０１」、出力予定装置「プリンタＡ」といった属性情報がそれぞれ設定されている。
【００４４】
印刷ジョブ受付部２１１は、上述のような個別印刷ジョブを受信する毎に、個別印刷ジョブＩＤを付与するとともに当該個別印刷ジョブＩＤに対して上述の各属性情報のデータを関連付けて記憶装置２０３に記憶する。また、印刷ジョブ受付部２１１は、予め設定された数の個別印刷ジョブを受信する毎に、または所定の期間が経過する毎に、あるいは管理者の要求に応じて、グループ化処理部２１２は下記のグループ化処理を実行する。図５のステップＳ５０２において、グループ化処理部２１２は、表示制御部２１４により図７に示すようなグループ化条件の設定画面を生成し、ディスプレイ２０５に表示させる。管理者は、当該グループ化条件の設定画面を参照しながら、複数の個別印刷ジョブのグループ化を行うための条件を指定する。
【００４５】
図７は、グループ化条件設定画面７００の一例を示す図である。図７に示されるように、グループ化条件設定画面７００は、グループ化条件名入力欄７１０とグループ化条件設定欄７２０を含む。グループ化条件名入力欄７１０には、管理者が選択したグループ化条件に対して任意の名称、例えば「条件１」などを入力することができる。グループ化条件設定欄７２０には、グループ化の条件として、顧客ＩＤ、色数、用紙寸法、用紙種類、出力予定装置が列挙されており、それぞれチェックボックスにチェックをつけるか否かによって当該条件をグループ化の条件として選択するか否かを設定できる。例えば、顧客ＩＤにチェックをつけた場合、顧客ＩＤをグループ化の条件として選択したことになり、続くグループ化処理においてそれぞれ同一の顧客ＩＤの属性情報を有する個別印刷ジョブが一つに纏められてグループジョブを構成することになる。なお、グループ化の条件は１つ以上、つまり複数設定することが可能である。
【００４６】
グループ化条件設定欄７２０には、「キャンセル」ボタン７２１、「実行」ボタン７２２が含まれており、管理者が「キャンセル」ボタン７２１を選択した場合には、グループ化の条件設定を中断し、上述のステップＳ５０１の処理、つまり印刷ジョブ受付部２１１は個別印刷ジョブの受信を継続して行う。一方、上述したように管理者がグループ化を行うための条件を設定した後、「実行」ボタンを選択すると、図５のステップＳ５０３に進む。
【００４７】
ステップＳ５０３において、グループ化処理部２１２は、上記ステップＳ５０２において設定された共通条件にしたがってグループ化を実行し、グループジョブを構成する。生成されたグループジョブには、それぞれグループジョブＩＤが付与され、当該グループ化の際の条件と関連付けられて記憶装置２０３に記憶される。
【００４８】
グループ化処理部２１２によるグループ化の処理が終了すると、グループ化処理部２１２は、表示制御部２１４により図８に示すようなグループジョブ一覧表示画面８００をディスプレイ２０５に表示させる。なお、図８は、グループジョブ一覧表示画面８００の一例を示す図である。グループジョブ一覧表示画面８００には、グループジョブＩＤ欄８０１、グループ化結果欄８０２、グループ化条件名欄８０３が含まれる。図８のグループジョブ一覧表示画面８００には、グループ化された後の複数のグループジョブ８１０、８２０、８３０、・・・８４０が一覧表示されている。そして、それぞれのグループジョブ８１０〜８４０には、グループジョブＩＤが付与されており、それぞれのグループジョブＩＤは、グループジョブＩＤ欄８０１に表示されている。例えば、最上位のグループジョブ８１０にはグループジョブＩＤ「００２５７２」が付与され、２番目のグループジョブ８２０にはグループジョブＩＤ「００２５７３」が付与され、３番目のグループジョブ８３０にはグループジョブＩＤ「００２５７４」が付与され、最後のグループジョブ８４０にはグループジョブＩＤ「００２７３１」が付与されている。
【００４９】
また、それぞれのグループジョブ８１０〜８４０のグループ化結果欄８０２には、当該グループがどの属性を共通しているのかが表示される。例えば、グループ化条件として「顧客ＩＤ」と「用紙種類」が設定されていた場合、グループジョブＩＤ「００２５７２」のグループジョブを構成する個別印刷ジョブに共通する「顧客ＩＤ」が「４０８９０１」であること、「用紙種類」が「上質紙Ａ」であることが表示されている。また、それぞれのグループジョブ８１０〜８４０のグループ化条件名欄８０３にはグループ化処理を行った際のグループ化条件の名称、例えば「条件１」が表示されている。
【００５０】
さらに、図８に示すように、それぞれのグループジョブ８１０〜８４０の表示欄には、展開ボタン８１１、８２１、８３１、８４１が設けられており、いずれかの展開ボタンを選択すると、該当するグループジョブに含まれる個別印刷ジョブの一覧が表示されるようになっている。なお、図８ではグループジョブ８１０の展開ボタン８１１が選択されることにより、グループジョブ８１０に含まれる個別印刷ジョブの一覧を含む個別印刷ジョブ表示欄が表示されている。例えば、図８では、グループジョブ８１０には、３つの個別印刷ジョブが含まれており、それぞれの個別印刷ジョブの個別印刷ジョブＩＤ、顧客情報、製品名、部数、ページ数などの属性情報が表示され、管理者が参照可能となっている。なお、図８では、最上位のグループジョブ８１０を展開して表示した例が示されているが、他のグループジョブの展開ボタン８２１〜８４１を選択した場合には、該当するグループジョブ８２０〜８４０が展開され、それぞれのグループジョブ８２０〜８４０を構成する個別印刷ジョブの一覧を参照することができる。
【００５１】
図８のグループジョブ一覧表示画面８００は、「組み替え」ボタン８５０、および「印刷実行」ボタン８６０を含む。図５のステップＳ５０４において、印刷ジョブ組替部２１５は、組み替え処理が終了したか否かを判定する。管理者が図８のグループジョブ一覧画面８００において、管理者が一つのグループジョブ、例えばグループジョブＩＤ「０００２５７２」の印刷ジョブを選択し、「印刷実行」ボタン８６０を選択した場合、印刷ジョブ組替部２１５は個別印刷ジョブの組み替えが終了したと判断し、続くステップＳ５０５に進み、印刷指示部２１６により、当該選択されたグループジョブに含まれる個別印刷ジョブを順次印刷機３００、製本機４００に出力し、印刷処理、製本処理を実行し、処理を終了する。
【００５２】
一方、ステップＳ５０４において、管理者がグループジョブ一覧表示画面８００の一つのグループジョブを選択した状態で「組み替え」ボタン８５０を選択した場合、印刷ジョブ組替部２１５は、組み替え処理が終了していないと判断し、続くステップＳ５０６に進む。ステップＳ５０６において、印刷ジョブ組替部２１５は、図８において選択されたグループジョブが組み替え処理の対象となる第１グループジョブとしてメモリ２０２に一時的に記憶される。
【００５３】
次いで、ステップＳ５０７において、検索部２１３は、組み替え処理の対象として選択された第１グループジョブに対して、グループ化された際の条件に該当する属性情報が一致する他のグループジョブを記憶装置２０３から検索し、表示制御部２１４により、図９（Ａ）に示すような検索結果表示画面９００を表示する。なお、図９（Ａ）は、検索結果表示画面９００の一例を示す図である。
【００５４】
図９（Ａ）の検索結果表示画面９００は、組み替え処理の対象となる第１グループジョブを表示する第１グループジョブ表示欄９１０と、検索結果表示欄９２０により構成される。第１グループジョブ表示欄９１０は、上述した図８のグループジョブ一覧画面８００の表示項目と同じ表示項目であるグループジョブＩＤ欄９１１、グループ化結果欄９１２、グループ化条件名欄９１３が含まれる。本実施形態では、スッテプＳ５０６においてグループジョブＩＤ「００２５７２」のグループジョブが選択されたため、図８と同様に、グループジョブＩＤ欄９１１にはグループジョブＩＤ「００２５７２」が表示され、グループ化結果欄９１２には、「顧客ＩＤ」が「４０８９０１」であること、「用紙種類」が「上質紙Ａ」であることが表示されている。また、グループ化条件名欄９１３には、グループ化処理を行った際のグループ化条件の名称である「条件１」が表示されている。
【００５５】
検索結果表示欄９２０には、検索部２１３によって検索された１以上のグループジョブが表示される。なお、図９（Ａ）では、検索部２１３によって検索された２つのグループジョブ、つまり、グループジョブＩＤ「０００２５７２」のグループ化の際の条件に該当する属性情報が同一である、グループジョブＩＤ「０００２７２８」のグループジョブ、およびグループジョブＩＤ「０００２７３０」のグループジョブが表示されている。
【００５６】
検索結果表示欄９２０は、検索グループジョブＩＤ表示欄９２１、グループ化結果表示欄９２２、グループ化条件名表示欄９２３が含まれる。検索グループジョブＩＤ表示欄９２１には、例えば、グループジョブＩＤ「０００２７２８」が表示され、グループ化結果表示欄９２２には、当該グループジョブがグループ化された際の条件に該当する属性情報の内容、例えば「顧客ＩＤ」が「４０８９０１」であること、「用紙種類」が「上質紙Ａ」であることが表示されている。なお、図９（Ａ）において、検索結果が表示された当初の状態では、第１グループジョブ表示欄９１０のグループ化結果欄９０２と検索結果表示欄９２０のグループ化結果表示欄９２２とに表示されるグループ化の際の条件に該当する属性情報の内容は、同一、あるいは少なくとも一部が同一となっている。
【００５７】
また、グループ化条件名表示欄９２３には、グループジョブＩＤ「０００２７２８」のグループジョブがグループ化された際のグループ化条件の名称である「条件１」が表示されている。
【００５８】
図５のステップＳ５０８において、印刷ジョブ組替部２１５は、管理者により検索結果表示欄９２０に表示された１以上のグループジョブの中から一つを選択した状態で、「組み替え」ボタン９３０が選択されたか否かを判定する。「組み替え」ボタン９３０が選択されたと判断された場合、図５のステップＳ５１０に進み、そうでない場合は、ステップＳ５０９に進み、検索部２１３が検索結果として表示されるべきグループジョブのグループ化条件が変更されたか否かを判断する。
【００５９】
つまり、図９（Ａ）に示すように、検索結果表示画面９００の検索結果表示欄９２０には、グループ化結果表示欄９２２に表示されるグループ化の際の条件と連動した１以上のタブ９４０が表示されている。つまり、一つ一つのタブ９４０は、検索結果表示欄９２０に表示されているグループ化の際の条件の一つ一つに対応している。図９では、「顧客ＩＤ」、および「用紙種類」の２つのタブが表示されており、この２つの条件でグループ化されている。管理者が入力インタフェース２０６を操作することによってタブ９４０により表されるグループ化の条件を変更した場合、検索部２１３はステップＳ５０９においてタブが変更されたと判断して、ステップＳ５０８に戻り、変更後のグループ化の条件によってグループ化されているグループジョブを記憶装置２０３から検索し、表示制御部２１４により検索結果表示欄９２０に表示させる。
【００６０】
例えば、管理者がタブ９４０の右端に表示されたタブ追加ボタン９４１を選択すると、図９（Ｂ）に示すように、タブとして追加可能なグループ化条件の一覧が表示され、管理者がその一覧の中から任意のグループ化条件を選択すると、当該グループ化条件が新たなタブとして表示される。同時に、検索部９１３は、追加後のグループ化の条件によってグループ化されているグループジョブを記憶装置２０３から検索し、表示制御部２１４により検索結果表示欄９２０に表示させる。つまり、複数のグループジョブが検索結果表示欄９２０に表示されている場合、グループ化の条件をさらに追加することによって検索結果として表示されるグループジョブを絞り込むことができる。
【００６１】
一方、管理者が既に表示されているタブ９４０の削除ボタン９４２を選択することにより、いずれかのタブを削除すると、やはり図５のステップＳ５０９、Ｓ５０８において検索部４１３は、削除後のグループ化条件を含むグループジョブを記憶装置２０３から検索し、表示制御部２１４により検索結果表示欄９２０に表示させる。つまり、グループ化の条件を削除することによって検索結果として表示されるグループジョブの数を増やすことができる。
【００６２】
上述したように、管理者が、検索結果表示欄９２０に表示された１以上のグループジョブの中から一つを、第２グループジョブとして選択した状態で、「組み替え」ボタン９４０を選択すると、図５のステップＳ５１０に進む。ステップＳ５１０において、印刷ジョブ組替部２１５は、表示制御部２１４により図１０に示すような組み替えダイアログ１０００をディスプレイ２０５に表示させる。なお、図１０は、組み替えダイアログ１０００の一例を示す図である。
【００６３】
図１０に示すように、組み替えダイアログ１０００は、ステップＳ５０６において組み替え対象として選択された第１グループジョブと、ステップＳ５０８において組み替え対象として選択された第２グループジョブとをそれぞれ構成する個別グループジョブを対照させて表示させたものである。組み替えダイアログ１０００は、第１グループジョブ概要表示部１０１０、第２グループジョブ概要表示部１０２０、第１個別印刷ジョブ一覧表示部１０３０、第２個別印刷ジョブ一覧表示部１０４０を含む。
【００６４】
第１グループジョブ概要表示部１０１０には、第１グループジョブのグループジョブＩＤ、ページ数、用紙枚数、使用する用紙の長さのである印刷の合計、出力予定装置といった、第１グループジョブの概要情報が表示される。同様に、第２グループジョブ概要表示部１０２０には、第２グループジョブのグループジョブＩＤ、ページ数、用紙枚数、使用する用紙の長さのである印刷の合計、出力予定装置といった第２グループジョブの概要情報が表示される。
【００６５】
また、第１個別印刷ジョブ一覧表示部１０３０には、第１グループジョブを構成する個別印刷ジョブの一覧が表示される。同様に、第２個別印刷ジョブ一覧表示部１０４０には、第２グループジョブを構成する個別印刷ジョブの一覧が表示される。
【００６６】
第１個別印刷ジョブ一覧表示部１０３０には順序入れ替えボタン１０３１が設けられる。管理者が第１個別印刷ジョブ一覧表示部１０３０に表示されている任意の個別印刷ジョブを選択した状態で順序入れ替えボタン１０３１を選択すると、当該選択された個別印刷ジョブの第１個別印刷ジョブ一覧表示部１０３０での順位が上位に、あるいは下位に移動する。同様に、第２個別印刷ジョブ一覧表示部１０４０にも順序入れ替えボタン１０４１が設けられ、当該ボタンを操作することにより、第２個別印刷ジョブ一覧表示部１０４０内の任意の個別印刷ジョブの第２個別印刷ジョブ一覧表示部１０４０における順位を上位または下位に移動することができる。
【００６７】
さらに、図１０の組み替えダイアログ１０００には組み替えボタン１０５０が設けられる。第１個別印刷ジョブ一覧表示部１０３０に表示されている個別印刷ジョブの中の任意の個別印刷ジョブを選択した状態で管理者により組み替えボタン１０５０が選択されると、ステップＳ５１１において、印刷ジョブ組替部２１５は第１グループジョブに属していた当該選択されている個別印刷ジョブを第２グループジョブに移動させる、つまり組み替えを行う。第１グループジョブから第２グループジョブに組み替えられた個別印刷ジョブは、第２個別印刷ジョブ一覧表示部１０４０の最下位に表示される。
【００６８】
反対に、第２個別印刷ジョブ一覧表示部１０４０に表示されている個別印刷ジョブの中の任意の個別印刷ジョブを選択した状態で管理者により組み替えボタン１０５０が選択されると、ステップＳ５０９において、印刷ジョブ組替部２１５は第２グループジョブに属していた当該選択されている個別印刷ジョブを第１グループジョブに移動させる、つまり組み替えを行う。上記と同様に、第２グループジョブから第１グループジョブに組み替えられた個別印刷ジョブは、第１個別印刷ジョブ一覧表示部１０３０の最下位に表示される。なお、図１０では、第２個別印刷ジョブ一覧表示部１０４０の２つ目の個別印刷ジョブ、つまり個別印刷ジョブＩＤ「Ｉ９１０００７」が選択され、組み替えが可能となっている状態が示されている。
【００６９】
図１１は、組み替え後の組み替えダイアログ１１００の一例を示す図である。図１０と同様に、組み替えダイアログ１１００は、第１グループジョブと第２グループジョブとをそれぞれ構成する個別グループジョブを対照させて表示させたものであり、第１グループジョブ概要表示部１１１０、第２グループジョブ概要表示部１１２０、第１個別印刷ジョブ一覧表示部１１３０、第２個別印刷ジョブ一覧表示部１１４０を含んでいる。
【００７０】
図１１では、図１０と比較すると明らかなように、もともと第２グループジョブに属していた個別印刷ジョブ（具体的には、個別印刷ジョブＩＤ「Ｉ９１０００７」、「Ｉ９１０００９」）が第１グループジョブに移動しており、第１個別印刷ジョブ一覧表示部１１３０の最下位に表示されている。個別印刷ジョブの組み替えに伴い、第１グループジョブ概要表示部１１１０および第２グループジョブ概要表示部１１２０のページ数表示欄、用紙枚数表示欄、印刷合計長表示欄の数値がそれぞれ変化している。
【００７１】
ステップＳ５１１において、対象となる２つのグループジョブについての組み替え処理を終了すると、つまり図１１の組み替えダイアログ１１００の「ＯＫ」ボタン１１５０が選択されると、ステップＳ５０４に戻り、グループ化処理部２１２が表示制御部２１４により図８に示すようなグループジョブ一覧表示画面８００をディスプレイ２０５に表示させるとともに、印刷ジョブ組替部２１５は組み替え処理がすべて終了したか否かを判定する。管理者が図８のグループジョブ一覧表示画面８００の中の一つ以上のグループジョブを選択して「印刷実行」ボタン８６０を選択した場合、印刷ジョブ組替部２１５は個別印刷ジョブの組み替えが終了したと判断し、続くステップＳ５０５に進み、印刷指示部２１６により、当該選択されたグループジョブに含まれる個別印刷ジョブを順次印刷機３００、製本機４００に出力し、印刷処理を実行し、処理を終了する。一方、他のグループジョブが選択された状態で「組替ボタン」８５０が選択された場合には、当該グループジョブに対して、上述したステップＳ５０６〜Ｓ５１１の処理を、「印刷実行」ボタン８６０が選択されるまで行う。
【００７２】
以上、本実施形態の印刷工程管理システムについて説明した。なお上記の例では、個別の処理対象が個別の印刷ジョブであり、グループ処理対象がグループジョブである場合を説明したが、本発明は上記の例に限定されず、例えば、個別の処理対象が音楽ファイル、動画ファイル、といった個別のマルチメディアファイルであり、グループ処理対象がグループ化された複数のマルチメディアファイルであってもよい。
【符号の説明】
【００７３】
１０    
２００    工程管理サーバ
２０１    制御用マイクロプロセッサ
２０２    メモリ
２０３    記憶装置
２０４    通信インタフェース
２０５    ディスプレイ
２０６    入力インタフェース
２１１    印刷ジョブ受付部
２１２    グループ化処理部
２１３    検索部
２１４    表示制御部
２１５    印刷ジョブ組替部
２１６    印刷指示部
３００    印刷機
４００    製本機
５００    クライアントコンピュータ
【図１】
2020140491.tif 000003
【図２】
2020140491.tif 000004
【図３】
2020140491.tif 000005
【図４】
2020140491.tif 000006
【図５】
2020140491.tif 000007
【図６】
2020140491.tif 000008
【図７】
2020140491.tif 000009
【図８】
2020140491.tif 000010
【図９】
2020140491.tif 000011
【図１０】
2020140491.tif 000012
【図１１】
2020140491.tif 000013